(57)【要約】【課題】熱湯等を排出する孔を開口する機能を備えた蓋材で、この孔の開口に、安定して一定の大きさと形状の孔が形成され、かつ製造コストが嵩まず、さらにはガスバリア性に欠ける事のない蓋材の提供にある。【解決手段】紙層３１とシーラント層１６が積層されてなり、容器本体２のフランジ部２１にシールされる蓋材１において、前記紙層３１に、所定の幅Ｗの細長テープ１４が、その外周縁端から内方に向かって直線的に延び、深さ方向に１乃至複数の谷部１４ｂと山部１４ｃでなる略波形状に漉き込まれていて、その谷部１４ｂがフランジ部２１に掛かっていず、紙層３１の裏面に露出している谷部１４ｂの長さＳでなる蓋材１とするものである。【選択図】図１
2004106854.tif 000002
【特許請求の範囲】
【請求項１】
少なくとも紙層とシーラント層が積層されてなり、該シーラント層が容器本体のフランジ部にシールされる、該フランジ部と略同形の蓋材において、前記紙層に、所定の幅を有する細長テープが、その外周縁端から内方に向かって直線的に延び、深さ方向に１乃至複数の谷部と山部でなる略波形状に漉き込まれていて、少なくとも前記一つ以上の谷部がフランジ部に掛かっていないことを特徴とする蓋材。
【請求項２】
上記略波形状の谷部は、所定の長さで紙層の裏面に露出していることを特徴とする請求項１記載の蓋材。
【請求項３】
上記外周縁端に細長テープの端が飛び出していることを特徴とする請求項１または２記載の蓋材。
【請求項４】
上記紙層とシーラント層との間にガスバリア層が積層されていることを特徴とする請求項１乃至３のいずれかに記載の蓋材。
【発明の詳細な説明】
【０００１】
【発明の属する技術分野】
本発明は、容器のフランジ部にシールして密封する蓋材に関するものであり、特に、液体を排出あるいは注出する孔を開口する機能を備えた蓋材に関する。
【０００２】
【従来の技術】
従来、液体を排出あるいは注出する孔を開口する機能を備えた蓋材として、例えば焼きそば、スパゲティ、赤飯などを食するに際し、熱湯を注いで所定時間経過した後に、湯切り作業（湯を排出する）を必要とする即席食品用容器の蓋材が知られ、その即席食品用容器等の湯切り機能付蓋材は、例えば、図３の側断面図に示すように、突き破り用孔（７７）が穿設された紙層を主体とする表面シート（２０）の裏面にアルミニウム箔（１９）とシーラント層（１６）を積層したものがあるが、この蓋材では、搬送中などで意に反して突き破り用孔（７７）が破れたり、また湯切りに際しては、箸などで突き破り用孔（７７）からアルミニウム箔（１９）とシーラント層（１６）を突き破らなければならず、よって箸などを必要とすることや破られた開口部の大きさや形状が一定にならないのでスムーズな湯切りができず、また破りカスが内部の食品等に混入する危惧があるなどの問題点があった。
【０００３】
これらの問題を解決するものとして、例えば図４（ａ）の上面図およびそのＢ−Ｂ面を表す図４（ｂ）の断面図に示すように、紙層（３１）とバリア層としてのアルミニウム箔（１９）とシーラント層（１６）が積層されていて、外周縁には開封用プルタブ（１２）を有し、この開封用プルタブ（１２）に対峙する位置に湯切口開口用プルタブ（１７）を有し、この基部端（１７ａ）から内方に水平に延びるミシン目（２２）が表面から紙層（３１）に刻設されている湯切り機能付蓋材がある。この湯切り機能付蓋材の湯切りは、湯切口開口用プルタブ（１４）を引っ張り上げて、水平に延びるミシン目（２２）にしたがって破りながら開口して湯切口として行うものである。
【０００４】
しかし、上記湯切り機能付蓋材は、開口される湯切口の形状と大きさのコントロールが困難で、湯切り作業に際し、例えば内容物である焼きそば等も湯と一緒に飛び出すという問題があった。さらに上記湯切り機能付蓋材は、表面からのミシン目（２２）の刻設工程を必要とすることと、その精度（刻設の深さ）が、バリア層であるアルミニウム箔（１９）を傷めない（傷めるとガスバリア性に欠ける）程度とする必要があり、製造コストの嵩みとバリア性に欠ける危惧があるという問題点があった。
【０００５】
さらに最近開発された、特に湯切口の形状と大きさのコントロールが可能な湯切り機能付蓋材として、例えば図５（ａ）の側断面図および図５（ｂ）の上面図に示すような即席食品を密封包装するための湯切り口付剥離性蓋材（３）がある。それは、紙層を主体とする表面シート（２０）を外面側にして、その内面側（食品側）に複合シート（１０）（内面から例えばシーラント層（１６）／アルミニウム箔（１９）／接着性樹脂層（１５）でなる）を重ね合わせ積層せしめたシート状で円形状の蓋であり、その蓋の外周円弧部分からその内側にかけて一部領域の前記複合シート（１０）と表面シート（２０）との重ね合わせ内面には、易剥離剤（剥離ニス）を塗布することによって形成された易剥離層（３０）による易剥離領域（Ｌ１）を備え、それ以外の該複合シート（１０）と表面シート（２０）との重ねあわせ内面には、接着された状態の接着領域（Ｌ２）を備えている。
【０００６】
そして、上記易剥離領域（Ｌ１）内における複合シート（１０）に１箇所乃至複数個所には、内径Ｒの湯切孔形状の湯切孔形成用ハーフカット（５０）が形成され、この湯切孔形成用ハーフカット（５０）領域内の複合シート（１０）と表面シート（２０）の内面には内径ｒのハーフカット領域内接着部（６０）（易剥離層（３０）の形成されない部分）が設けられていて、複合シート（１０）と表面シート（２０）とはハーフカット領域内接着部（６０）において互いに接着している。
【０００７】
さらに、例えば易剥離領域（Ｌ１）と接着領域（Ｌ２）の境界線に表面シート面よりミシン目（２２）が施され、このミシン目（２２）よりやや易剥離領域（Ｌ１）側の周縁に表面シート剥離用プルタブ（１３）が形成されている湯切り口付剥離性蓋材（３）である。
【０００８】
上記のような構造の即席食品容器の湯切り口付剥離性蓋材（３）は、図６の側断面図に示すように、例えば焼きそば等即席食品（図示せず）を入れた容器本体（２）の上端部にあるフランジ部（２１）にイージーピール性を有するシーラントで接着シールして容器本体（２）を密封包装することにより即席食品等を密封包装した即席食品用容器となるものである。
【０００９】
上記のようにして即席食品を密封包装した即席食品用容器は、図５（ｂ）に示す接着領域（Ｌ２）側の蓋材外周にある開封用プルタブ（１２）を引っ張り上げて、図７に示す容器本体（２）のフランジ部（２１）からイージーピール性を有する接着領域（Ｌ２）側の複合シート（１０）を部分的に剥がして開口し、その開口部より熱湯を注入した後、蓋材外周にある開封用プルタブを再度フランジ部（２１）の外側に折り込むようにして施蓋し、数分間放置して容器（２）の中にある即席食品（図示せず）を柔らかくほぐす。
【００１０】
その後、図７の斜視図に示すように、易剥離領域（Ｌ１）の外周にある表面シート剥離用プルタブ（１３）を引っ張り上げて、ミシン目（２２）に沿ってそのミシン目（２２）を順順に破りながら易剥離領域（Ｌ１）の表面シート（２０）を複合シート（１０）から剥離するとともに、該表面シート（２０）に接着している湯切孔形成用ハーフカット領域内の複合シート（１０）を切り離し、表面シート（２０）が剥離されて残っている複合シート（１０）に内径Ｒの安定した大きさの湯切孔（７０）を形成した後、容器本体（２）を開封用プルタブ（１２）側と反対側に傾けて、中にある湯を湯切孔（７０）から排出することができるようになっているものもある。
【００１１】
このように湯切孔（７０）の開口に、箸などを必要とせず、かつ安定して一定の大きさと形状の湯切孔（７０）が形成され、よってスムーズな湯切りができ、また破りカス等もでない優れた効果を発揮する即席食品容器用の湯切り口付剥離性蓋材（３）である。
【００１２】
【発明が解決しようとする課題】
しかしながら、上記湯切り口付剥離性蓋材（３）とその技術において、図５（ａ）および図５（ｂ）に示すように、易剥離領域（Ｌ１）のための易剥離層（３０）の形成に湯切孔形状のパターン塗布を必要とし、そのパターンに合わせた高精度のハーフカット（５０）の刻設という高度な技術とそれに要する工程数と材料が嵩み、また、このハーフカット（５０）がシーラント層（１６）面からアルミニウム箔（１９）を貫通して表面シート（２０）である紙層手前まで（紙層に僅かに入る）刻設されるので、紙層を必要以上に厚くしなければならず、かつガスバリア層としてのアルミニウム箔（１９）は、複数の湯切孔のためのハーフカット（５０）で貫通されているので、内容物に対しガスバリア性に欠けるという問題点があった。
【００１３】
本発明は、かかる従来技術の問題点を解決するものであり、その課題とするところは、例えば焼きそばなど乾燥状態の即席食品等を柔らかくほぐすために注入する熱湯等を排出する孔を開口する機能を備えた蓋材において、湯切口等孔の開口に、安定して一定の大きさと形状の湯切口等孔が形成され、かつ従来のようなパターン塗布を必要とする易剥離層の形成やそのパターンに合わせた高精度のハーフカットの刻設のような技術とそれら工程数と材料等の削減により製造コストが嵩まず、かつ必要以上に紙層を厚くせず、さらにはガスバリア性に欠ける事のない蓋材を提供することにある。
【００１４】
【課題を解決するための手段】
本発明に於いて上記課題を達成するために、まず請求項１の発明では、少なくとも紙層とシーラント層が積層されてなり、該シーラント層が容器本体のフランジ部にシールされる、該フランジ部と略同形の蓋材において、前記紙層に、所定の幅を有する細長テープが、その外周縁端から内方に向かって直線的に延び、深さ方向に１乃至複数の谷部と山部でなる略波形状に漉き込まれていて、少なくとも前記一つ以上の谷部がフランジ部に掛かっていないことを特徴とする蓋材としたものである。
【００１５】
上記請求項１の発明によれば、上記紙層に、所定の幅を有する細長テープが、その外周縁端から内方に向かって直線的に延び、深さ方向に１乃至複数の谷部と山部でなる略波形状に漉き込まれていて、少なくとも前記一つ以上の谷部がフランジ部に掛かっていない構成でなるので、従来のようなパターン塗布を必要とする易剥離層の形成やそのパターンに合わせた高精度のハーフカットの刻設のような技術とそれら工程数と材料等の削減により製造コストが嵩まない蓋材とすることができ、かつ液体等を排出する孔の開口に際し、細長テープを上方に引っ張り上げると、その細長テープより表面側にある紙層がテープとともに剥ぎ取られ、谷部のうちフランジ部に掛かっていない谷部に相当するシーラント層をも剥ぎ取って１乃至複数の孔が容易に開口される蓋材とすることができる。
【００１６】
また、請求項２の発明では、上記略波形状の谷部は、所定の長さで紙層の裏面に露出していることを特徴とする請求項１記載の蓋材としたものである。
【００１７】
上記請求項２の発明によれば、細長テープを上方に引っ張り上げて開口される孔の形状とサイズが、上記細長テープの所定の幅×裏面に露出している谷部の所定の長さとなり、安定して一定の大きさと形状の孔が形成される、即ち開口される孔の大きさと形状のコントロールが容易な蓋材とすることができる。
【００１８】
また、請求項３の発明では、上記外周縁端に細長テープの端が飛び出していることを特徴とする請求項１または２記載の蓋材としたものである。
【００１９】
上記請求項３の発明によれば、上記外周縁端に細長テープの端が飛び出しているので、湯切口等の孔の開口に際し、飛び出している細長テープの端を開口用プルタブとして摘むことができ、容易に開口できる蓋材とすることができる。
【００２０】
さらにまた、請求項４の発明では、上記紙層とシーラント層との間にガスバリア層が積層されていることを特徴とする請求項１乃至３のいずれかに記載の蓋材としたものである。
【００２１】
上記請求項４の発明によれば、上記紙層とシーラント層との間にガスバリア層が積層されていて、このガスバリア層には従来のようにハーフカットやミシン目等が施されていないので、ガスバリア性に欠けるという問題点がなく、かつ湯切口等の孔の開口に際し、細長テープとともにガスバリア層をも一緒に剥ぎ取り開口する蓋材を提供できる。
【００２２】
【発明の実施の形態】
以下本発明の実施の形態を図面を用いて詳細に説明する。
【００２３】
本発明は、図１（ａ）の上面図およびそのＢ−Ｂ面を表す図２（ｂ）の断面図に示すように、例えば、表面の紙層（３１）とサンドポリエチレンでなる接着性樹脂層（１５）を介してガスバリア性を有するアルミニウム箔（１９）が積層され、さらにこのアルミニウム箔（１９）面にイージーヒルール性のシーラント層（１６）が積層されている蓋材（１）で、このシーラント層（１６）が容器本体（２）のフランジ部（２１）にシールされていて、このフランジ部（２１）と略同形（円形）で、図１（ａ）に示すように、外周縁に開封用プルタブ（１２）とこれに対峙する位置に開口用プルタブ（１４ａ）を有する蓋材（１）に関するもので、焼きそばなど乾燥状態の即席食品等を収納する容器の湯切り機能を有する蓋材として好適に使用されるものである。
【００２４】
そこで上記請求項１に係る発明は、例えば図１（ａ）および図１（ｂ）に示すように、表面の紙層（３１）に、所定の幅（Ｗ）を有する細長テープ（１４）が、その外周縁端から内方に向かって直線的に延び、深さ方向（Ｄ）に３個の谷部（１４ｂ）と４個の山部（１４ｃ）でなる略波形状に漉き込まれていて、その細長テープ（１４）の３個の谷部（１４ｂ）がフランジ部（２１）に掛かっていない蓋材（１）である。
【００２５】
また、上記請求項２に係る発明では、例えば図１（ｂ）に示すように、細長テープ（１４）の波形状の谷部（１４ｂ）は、所定の長さ（Ｓ）で紙層（３１）の裏面に露出している蓋材（１）とするものである。
【００２６】
また、上記請求項３に係る発明では、例えば図１（ａ）および図１（ｂ）に示すように、外周縁端に細長テープ（１４）の端が飛び出していて、湯切口（７２）等の開口に際し、この飛び出している細長テープ（１４）の部分を摘まむための開口用プルタブ（１４ａ）とするものである。
【００２７】
さらにまた、上記請求項４に係る発明では、例えば図１（ｂ）に示ように、紙層（３１）とシーラント層（１６）の間にガスバリア層としてのアルミニウム箔（１９）がハーフカットやミシン目等で貫通されていない状態で積層されているガスバリア性に優れる蓋材（１）とするものである。
【００２８】
上記発明の蓋材によれば、例えば排湯を排出する湯切口の開口に際し、図１（ａ）および図１（ｂ）に示すような外周縁端に飛び出している細長テープ（１４）の端でなる開口用プルタブ（１４ａ）を上方に引っ張り上げると、この細長テープ（１４）より表面側にある紙層（３１）の部分がテープ（１４）とともに剥ぎ取られ、さらに谷部（１４ｂ）に接着している接着性樹脂層（１５）とアルミニウム箔（１９）とシーラント層（１６）も同時に剥ぎ取られ、図２（ａ）の上面図およびそのＢ−Ｂ面を表す図２（ｂ）の断面図に示すように、そのサイズは細長テープ（１４）の幅（Ｗ）×細長テープ（１４）が紙層の裏面に露出している長さ（Ｓ）で、その個数は３個で、湯切口（７２）として開口されるものである。
【００２９】
上記のように、例えば湯切口（７２）のサイズは、内容物が湯切りに際し飛び出しのない程度とし、その個数は、湯切りの時間を考慮して決められるもので、本発明の蓋材は、これら湯切口（７２）等開口される孔のコントロールが容易で、かつアルミニウム箔（１９）にはハーフカットやミシン目等でダメージを与えない構成でなるので、ガスバリア性に欠けるという問題のないものとすることができる。
【００３０】
以下に、本発明の蓋材（１）に使用される材料等について説明する。
まず、本発明の蓋材（１）を構成する紙層（３１）としては、用途によっても異なるが、例えば上記事例の焼きそば等湯切りを必要とする湯切り機能付の蓋材では、その表面が印刷適性に優れている方が好ましく、例えば坪量３０〜１５０ｇ／ｍ２　程度の片面アート紙、両面アート紙、他に同程度の厚さのコート紙、上質紙などが挙げられる。
【００３１】
本発明では上記のような紙を漉く時に、細長テープ（１４）を深さ方向に波形状となるように漉き込んだものを、蓋材（１）を構成する紙層（３１）として用いるもので、その漉き込む方法は、例えば英国ポータルス社から欧州および米国に出願されたＥＰ００５９０５６号およびＵＳＰ４４６２８６６号に開示されているように、円網抄紙機による方法で、表面の一部が凹凸状（波形状）に加工された金網が、パルプ懸濁液の入ったバット内で回転する際に、細長テープがその加工された表面の凹凸部に接触しながら一緒に回転していき、その結果としてスレッドが紙層中に凹凸状（波形状）に漉き込まれ、表面と裏面に細長テープが所定の幅（テープの幅）の点線状に露出するようにする方法である。
【００３２】
上記細長テープ状の細長テープ（１４）としては、厚さ１２μｍ程度のポリエチレンテレフタレートフィルム、二軸延伸ポリアミドフィルム（ナイロン）、ポリプロピレンフィルムなどが用いられ、このスレッドの存在が開口のためと一見して判るように、着色するかあるいはアルミニウム蒸着層を施すこともでき、その幅は、１〜１５ｍｍ程度とし、この幅によって開口される孔のサイズをコントロールすることができる。
【００３３】
また、本発明の蓋材（１）を構成するシーラント層（１６）としては、例えばヒートシール性に優れる直鎖低密度ポリエチレン（ＬＬＤＰＥ）、低密度ポリエチレン（ＬＤＰＥ）、高密度ポリエチレン（ＨＤＰＥ）、無延伸ポリプロピレン（ＣＰＰ）等のポリオレフィン樹脂あるいはエチレン／酢酸ビニル共重合体（ＥＶＡ）、エチレン／アクリル酸共重合体（ＥＡＡ）、エチレン／メタアクリル酸共重合体（ＥＭＡＡ）等エチレン共重合樹脂のフィルムを用いることが一般的であるが、上記事例の湯切り機能付の蓋材のように、容器本体から一旦剥離する必要のある用途には、ヒートシール性とともに開封に際する剥離性とのバランス（イージーピール性）を考慮する必要があり、そのために上記ポリオレフィン樹脂にポリスチレンやポリブデン等からなる、該ポリオレフィン樹脂に対し不相溶性成分を混合したものとする方が好適な材料である。また、エチレン／酢酸ビニル共重合樹脂、エチレン／アクリル酸共重合樹脂等からなるホットメルト接着剤を塗布量１５〜２５ｇ／ｍ２　程度で設けてもよく、これらシーラント層（１６）によって容器（２）のフランジ部（２１）との充分な密封性（シール性）と剥離開封性（イージーピール性）を可能とすることができる。
【００３４】
また、上記事例のように、例えば食品等に対する遮光やガスバリアなど保存性を考慮した場合、ガスバリア層として、特に５〜２５μｍのアルミニウム箔（１９）を使用するのが一般的であり、このアルミニウム箔（１９）は、特に上記事例の蓋材のように、開封用プルタブ（１２）側から一部（１／３程度）を開封剥離し、その剥離された部分から熱湯を注ぐに時に、蓋材が剥離された状態を保持している性質（デッドホールド性という）を有すると、熱湯を安全に確実に注ぎ易くすることができることから好適に使用される材料である。また、その他バリア層として前記デッドホールド性には欠けるが、遮光性のあるチタンホワイトなどを主成分にした白色インキやカーボンブラックなどを主成分とした黒色インキ、この白色インキと黒色インキを混合した灰色インキ、アルミニウムペーストなどを主成分とした灰色インキ等を用いて表面に遮光印刷したもの、あるいは酸化珪素や酸化アルミニウム等を蒸着したセラミック蒸着ポリエチレンテレフタレートフィルムなどを用いてもよい。
【００３５】
また、上記アルミニウム箔（１９）を設ける場合、紙層（３１）にアルミニウム箔（１９）を接着させる接着性樹脂層（１５）としては、蓋材の生産性を考慮して、例えば熱溶融押出しによるポリエチレン樹脂、アイオノマー樹脂、ポリプロピレン樹脂等のサンドラミネートが好ましく用いられる。
【００３６】
本発明の蓋材の用途として、上記事例の焼きそばやスパゲティなどに熱湯を注いで柔らかくほぐし、その湯を排出して食するための湯切り機能付の蓋材の他、例えば調味料容器の中蓋として、その中蓋を容器フランジ部から剥離せずに、注出口あるいは振出し口のみを開口して内容物の注出や振出しが可能な蓋材にも適用できる。
【００３７】
【発明の効果】
本発明は以上の構成であるから、下記に示す如き効果がある。
即ち、上記請求項１に係る発明においては、少なくとも紙層とシーラント層が積層されてなり、該シーラント層が容器本体のフランジ部にシールされる、該フランジ部と略同形の蓋材において、前記紙層に、所定の幅を有する細長テープが、その外周縁端から内方に向かって直線的に延び、深さ方向に１乃至複数の谷部と山部でなる略波形状に漉き込まれていて、少なくとも前記一つ以上の谷部がフランジ部に掛かっていない構成でなるので、従来のようなパターン塗布を必要とする易剥離層の形成やそのパターンに合わせた高精度のハーフカットの刻設のような技術とそれら工程数と材料等の削減により製造コストが嵩まない蓋材とすることができ、かつ液体等を排出する孔の開口に際し、細長テープを上方に引っ張り上げると、その細長テープより表面側にある紙層がテープとともに剥ぎ取られ、谷部のうちフランジ部に掛かっていない谷部に相当するシーラント層をも剥ぎ取って１乃至複数の孔が容易に開口される蓋材とすることができる。
【００３８】
また、上記請求項２に係る発明においては、細長テープを上方に引っ張り上げて開口される孔の形状とサイズが、その細長テープの所定の幅×紙層の裏面に露出している細長テープの谷部の長さとなり、安定して一定の大きさと形状の孔が形成される、即ち開口される孔の大きさと形状のコントロールが容易な蓋材とすることができる。
【００３９】
また、上記請求項３に係る発明においては、上記外周縁端に細長テープの端が飛び出しているので、湯切口等の孔の開口に際し、飛び出している細長テープの端を開口用プルタブとして摘むことができ、開口がより容易にできる蓋材とすることができる。
【００４０】
さらにまた、上記請求項４に係る発明においては、上記紙層とシーラント層との間にガスバリア層が積層されていて、このガスバリア層には従来のようにハーフカットやミシン目等によるダメージがないので、ガスバリア性に欠けるという問題点がなく、かつ湯切口等の孔の開口に際し、細長テープとともにガスバリア層をも一緒に剥ぎ取り開口する蓋材を提供できる。
【００４１】
従って本発明は、容器のフランジ部にシールして密封する蓋材で、特に、液体を排出あるいは注出する孔を開口する機能を備えた蓋材として、優れた実用上の効果を発揮する。
【図面の簡単な説明】
【図１】本発明の蓋材の一実施の形態を表した説明図であり、
（ａ）は、その上面図であり、
（ｂ）は、（ａ）のＢ−Ｂ面を表す断面図である。
【図２】本発明の蓋材の孔の開口状態の一実施の形態を説明するもので、
（ａ）は、その上面図であり、
（ｂ）は、（ａ）のＢ−Ｂ面を表す側断面図である。
【図３】従来の湯切り口付蓋材の一事例を説明する側断面図である。
【図４】従来の湯切り機能付蓋材の一事例を説明するもので、
（ａ）は、その上面図であり、
（ｂ）は、（ａ）のＢ−Ｂ面を表す断面図である。
【図５】従来の一般的な湯切り口付剥離性蓋材の一事例を説明するもので、
（ａ）は、その側断面図であり、
（ｂ）は、その上面図である。
【図６】従来の一般的な湯切り口付剥離性蓋材を容器と一体化した一事例を説明する側断面図である。
【図７】従来の一般的な湯切り口付剥離性蓋材の表面シートを剥離し、湯切孔を形成した一事例の斜視図である。
【符号の説明】
１‥‥蓋材
２‥‥容器本体
３‥‥湯切り口付剥離性蓋材
５‥‥湯切り機能付蓋材
１０‥‥複合シート
１２‥‥開封用プルタブ
１３‥‥表面シート剥離用プルタブ
１４‥‥細長テープ
１４ａ‥‥細長テープ端でなる開口用プルタブ
１４ｂ‥‥波形状の谷部
１４ｃ‥‥波形状の山部
１５‥‥接着性樹脂層
１６‥‥シーラント層
１７‥‥湯切口開口用プルタブ
１７ａ‥‥湯切口開口用プルタブの基部端
１９‥‥アルミニウム箔
２０‥‥表面シート
２１‥‥フランジ部
２２‥‥ミシン目
３０‥‥易剥離層
３１‥‥紙層
５０‥‥湯切孔形成用ハーフカット
６０‥‥ハーフカット領域内接着部
７０‥‥湯切孔
７２‥‥湯切口
７７‥‥突き破り用孔
Ｌ１‥‥易剥離領域
Ｌ２‥‥接着領域
Ｑ‥‥引き裂き方向
Ｓ‥‥紙層の裏面に露出している細長テープの谷部の長さ
Ｒ‥‥湯切孔形成用ハーフカットの内径
ｒ‥‥ハーフカット領域内接着部の内径
Ｗ‥‥細長テープの幅
【図１】
2004106854.tif 000003
【図２】
2004106854.tif 000004
【図３】
2004106854.tif 000005
【図４】
2004106854.tif 000006
【図５】
2004106854.tif 000007
【図６】
2004106854.tif 000008
【図７】
2004106854.tif 000009